(57)【特許請求の範囲】
【請求項１】
１ライン当り所定の画素数分の光電変換部を有し、前記光電変換部からの出力信号をラインデータとして出力するラインセンサを用いて所定ライン分スキャンすることにより画像を所望の画素数で撮影するビデオスキャナ装置であって、
所定の色データを生成する色データ生成手段と、
前記色データと前記ラインデータとを選択的に中継出力する中継手段と、
前記選択的に中継出力された前記色データ又は前記ラインデータを前記ラインセンサのスキャン位置に対応する各アドレスに上書き格納するメモリ手段と、
前記各アドレスを表すアドレスデータを出力するとともに、前記色データの書き込みを指令する第１記憶指令及び前記ラインデータの書き込みを指令する第２記憶指令並びに前記各アドレスに記憶された前記色データ又は前記ラインデータを読み出す読出指令を出力するメモリコントロール手段と、
前記各アドレスデータ、第１記憶指令及び第２記憶指令をスキャン動作に応じて出力するタイミング信号を生成するとともに、前記第１記憶指令及び第２記憶指令に同期して前記中継手段の中継出力の選択を行うタイミング信号を発生するタイミング信号発生手段とを具備し、
前記メモリコントロール手段と前記タイミング発生手段は、前記各アドレスの所定ライン目に書き込まれている前記色データを読み出した後に該所定ライン目のアドレスに該アドレスに対応する前記ラインデータを上書きし、前記所定ライン目のアドレスに上書きしたラインデータを読み出した後に、次のアドレスに前記色データを上書きすることを特徴とするビデオスキャナ装置。
【請求項２】
前記メモリコントロール手段は、前記色データの書き込みを指令する際に、各アドレスを１ライン分又は複数ラインに跨って書き込ませるようにすることを特徴とする請求項１に記載のビデオスキャナ装置。
【発明の詳細な説明】
【０００１】
【産業上の利用分野】
本発明は、読み込んだ画像データをダイレクトに電子画像化し、平面素材から立体物まで、現物のまま忠実に電子ファイル化することができるビデオスキャナ装置に係り、特に同じ画像を何度もスキャンして行われる各種調整作業を容易としたビデオスキャナ装置に関する。
【０００２】
【従来の技術】
近年、読み込んだ画像データをダイレクトに電子画像化し、平面素材から立体物まで、現物のまま忠実に電子ファイル化することができるビデオスキャナ装置が開発されている。
図４は、このようなビデオスキャナ装置の構成を簡単に示すものであり、静止画像４０がスキャナ１０に組み込まれているたとえば２×１０ｃｍ程度のラインセンサ（図示省略）によってスキャンされることにより画像データとされ、電子画像プロセッサー２０によって電子ファイル化される。
【０００３】
ところで、このような静止画像４０の画像データをスキャナ１０によって取り込む場合、取り込んだ画像データをリアルタイムでモニタ上で観測することが一般に行われている。これは、所望の条件で画像データが取り込まれているか否かを確認するためであり、たとえば画像データのコントラスト及び色調等の微調整を行う場合やフォーカス調整等を行う場合に再スキャンされることが多いためである。
【０００４】
このため、従来では、電子画像プロセッサー２０内部の表示メモリ（図示省略）を予めクリアしておき、再度、スキャナ１０によって静止画像４０の画像データを取り込むことにより、図５（ａ）に示すように、モニタ３０上にてラインセンサの走査状態と画像の表示状態とを確認していた。
【０００５】
【発明が解決しようとする課題】
ところが、上述したように、たとえば画像データのコントラスト及び色調等の微調整を行う場合やフォーカス調整等を行う場合、再スキャンの度に電子画像プロセッサー２０内部の表示メモリ（図示省略）をクリアしていたのでは、静止画像４０の画像データを取り込んでからモニタ３０上に表示するまでに時間が掛かりすぎるばかりか、モニタ３０上に表示されていた前回の画像との比較を行うことができず、各種調整作業を容易に行うことができない。
【０００６】
そこで、電子画像プロセッサー２０内部の表示メモリ（図示省略）に書き込まれている前回の画像データに対して新たに取り込んだ画像データを重ね書きすることで、図５（ｂ）に示すように、モニタ３０上に表示されていた前回の画像をラインセンサの再走査により新たに取り込んだ画像と順に入れ替えることで、前回の画像との比較が可能とされる場合もある。
【０００７】
しかし、各種調整作業の調整具合いが微妙な場合には、ラインセンサの走査位置である前回の画像と新たな画像との境界位置の区別が付け難く、上記同様に、各種調整作業を容易に行うことが困難である。
本発明は、このような事情に対処してなされたもので、同じ画像を何度もスキャンして行われる各種調整作業を容易に行うことができるビデオスキャナ装置を提供することを目的とする。
【０００８】
【課題を解決するための手段】
本発明は、上記目的を達成するために、１ライン当り所定の画素数分の光電変換部を有し、前記光電変換部からの出力信号をラインデータとして出力するラインセンサを用いて所定ライン分スキャンすることにより画像を所望の画素数で撮影するビデオスキャナ装置であって、所定の色データを生成する色データ生成手段と、前記色データと前記ラインデータとを選択的に中継出力する中継手段と、前記選択的に中継出力された前記色データ又は前記ラインデータを前記ラインセンサのスキャン位置に対応する各アドレスに上書き格納するメモリ手段と、前記各アドレスを表すアドレスデータを出力するとともに、前記色データの書き込みを指令する第１記憶指令及び前記ラインデータの書き込みを指令する第２記憶指令並びに前記各アドレスに記憶された前記色データ又は前記ラインデータを読み出す読出指令を出力するメモリコントロール手段と、前記各アドレスデータ、第１記憶指令及び第２記憶指令をスキャン動作に応じて出力するタイミング信号を生成するとともに、前記第１記憶指令及び第２記憶指令に同期して前記中継手段の中継出力の選択を行うタイミング信号を発生するタイミング信号発生手段とを具備し、前記メモリコントロール手段と前記タイミング発生手段は、前記各アドレスの一つに書き込まれている前記色データを読み出した後に該一つのアドレスに前記ラインデータを上書きし、該一つのアドレスに上書きしたラインデータを読み出した後に、次のアドレスに前記色データを上書きすることを特徴とする。また、前述のビデオスキャナ装置において、前記メモリコントロール手段は、前記色データの書き込みを指令する際に、各アドレスを１ライン分又は複数ラインに跨って書き込ませるようにすることを特徴とする。
【０００９】
【作用】
本発明のビデオスキャナ装置では、色データ生成手段からの所定の色データとラインセンサからのラインデータとを中継手段を介して選択的に取り込む際、色データをメモリ手段に書き込ませるためのメモリコントロール手段からの第１記憶指令及びラインデータをメモリ手段に書き込ませるための第２記憶指令に同期させて選択的な取り込みを制御するとともに、アドレスデータの更新をメモリ手段へのラインデータの書き込み動作に先立って行わせ、所定の色データのメモリ手段への書き込み動作はラインデータに先立って行わせ行わせるようにしたので、メモリ手段のラインセンサのスキャン位置に対応する各アドレスに先に色データを書き込んだ後、所定時間経過してから同アドレスにラインデータの重ね書きを行わせることができる。
【００１０】
したがって、メモリ手段のラインセンサのスキャン位置に対応する各アドレスに書き込まれたデータの画像を表示するに際し、ラインデータの画像表示に先立って色データの画像表示を行わせた後、ラインデータの画像表示が行われるとともに、先の画像と新たな画像との入れ替わりを示す境界が色データの画像によって表示されるので、ラインセンサによるスキャン位置の認識が容易となり、たとえばコントラストや色調等の微調整を行う場合やフォーカス調整を行う場合等のように、同じ画像を何度もスキャンして行われる各種調整作業が容易となる。そして、色データをメモリ手段に書き込む際には、ラインセンサのスキャン位置に対応する各アドレスは、ラインセンサの１ライン分にすることもできるし、或いは複数ラインに跨って書き込ませることもできる。複数ラインに跨って書き込ませる場合には、モニタに表示される色データの太さを自由に選択することができる。
【００１１】
【実施例】
以下、本発明の実施例の詳細を図面に基づいて説明する。なお、以下に説明する図において、図４及び図５と共通する部分には同一符号を付し重複する説明を省略する。
図１は、本発明のビデオスキャナ装置の一実施例を示すものである。同図に示すビデオスキャナ装置は、スキャナ１０によって取り込まれた画像データを電子画像プロセッサー２０によってデータ処理し、モニタ３０によって画像を表示する構成とされている。
【００１２】
すなわち、スキャナ１０のラインセンサ１１によって取り込まれた１ライン分の画像データは、ラインバッファ１２を介して電子画像プロセッサー２０の中継手段としての切換器２１の切換えスイッチのＬ端子に取り込まれるようになっている。ここで、ラインセンサ１１には、１ライン当り所定の画素数分の光電変換部が設けられている。
【００１３】
切換えスイッチのＨ端子には、色データ生成手段としてのマーカーデータ部２０Ａからのたとえば緑色に相当する色データが取り込まれるようになっている。この色データにより、後述するマーカライン３１がモニタ３０上で緑色で表示される。
【００１４】
タイミング信号発生手段としてのタイミング発生器２３は、切換器２１の切換えタイミングを制御するための切換タイミング信号を発生したり、表示メモリ２４のラインデータやマーカデータの書込みのためのタイミング信号を発生したり、モニタ３０側へのラインデータやマーカデータの送出（読み出し）のためのタイミング信号を発生したりするものである。
【００１５】
メモリ手段としての表示メモリ２４は、切換器２１によって選択的に取り込まれたラインデータ又はマーカデータを、メモリコントロール手段としてのメモリコントローラ２２からのアドレス記憶指令に応じて書き込むとともに、メモリコントローラ２２からのアドレス読出指令に応じて読み出し制御を受ける。
【００１６】
ここで、ラインデータ又はマーカデータの読み出し制御は、モニタ３０における電子ビームの走査周期（本実施例では、たとえば水平走査周波数６４ｋＨZ のノンインタレース）に依存するものである。
【００１７】
表示メモリ２４から読み出されたラインデータ又はマーカデータは、ＤＡＣ２５によってアナログ信号に変換された後、モニタ３０に出力されて表示される。
【００１８】
続いて、このような構成のビデオスキャナ装置の動作について説明する。まず、図２（ａ）はラインデータの書き込みタイミングを示し、同図（ｂ）はマーカデータの書き込みタイミングをそれぞれ示している。そしてまず、スキャナ１０によって画像データの取り込みが開始されると、アドレスラッチパルスＡＬ1 が出力され、表示メモリ２４のたとえば１ライン目を示すアドレスＡ1 がラッチされ、更に、メモリコントローラ２２からライトパルスＬ1 が出力されると、このライトパルスＬ1 の立下がりエッジに同期してタイミング発生器２３から切換タイミング信号（ハイ(1)からロー(2)に変わる）が出力され、切換器２１の切換えスイッチがＬ端子側に切り換えられる。ライトパルスＬ1 の出力タイミング（立上がりエッジ）では、切換器２１の切換えスイッチがＨ端子側に接続されているので、マーカーデータ部２０Ａからの緑色に相当するマーカデータＭ1 が取り込まれ、表示メモリ２４の１ライン目にそのマーカデータＭ1 が書き込まれる。
【００１９】
このとき、表示メモリ２４の１ライン目に先に取り込まれているラインデータが書き込まれている場合には、マーカデータＭ1 がそのラインデータの上から重ね書きされる。
【００２０】
表示メモリ２４の１ライン目に書き込まれているマーカデータＭ1 は、メモリコントローラ２２からのモニタ３０における電子ビームの走査周期に依存するアドレス読出指令信号に応じて読み出されると、ＤＡＣ２５によってアナログ信号に変換され、モニタ３０の表示エリア上方の走査線上に表示される。
【００２１】
続いて、メモリコントローラ２２からライトパルスＬ2 が出力されると、このライトパルスＬ2 の立下がりエッジに同期してタイミング発生器２３から切換タイミング信号（ロー(2)からハイ(3)に変わる）が出力され、切換器２１の切換えスイッチがＬ端子側に切り換えられる。ライトパルスＬ2 の出力タイミングでは、切換器２１の切換えスイッチはＨ端子側に接続されているので、ラインバッファ１２からのラインデータＬＤ1 が取り込まれ、表示メモリ２４の１ライン目に先に書き込まれていたマーカデータＭ1 の上から重ね書きされる。
【００２２】
表示メモリ２４の１ライン目にマーカデータＭ1 の上から重ね書きされたラインデータＬＤ1 は、上記同様に、メモリコントローラ２２からのモニタ３０における電子ビームの走査周期に依存するアドレス読出指令信号に応じて読み出されると、ＤＡＣ２５によってアナログ信号に変換され、モニタ３０の表示エリア上方の走査線上に表示される。
【００２３】
モニタ３０における１ライン分のラインデータＬＤ1 の表示を終えると、２ライン目のアドレスを示すアドレスＡ2 がアドレスラッチパルスＡＬ2 によってラッチされ、次いでライトパルスＬ3 が出力される。このライトパルスＬ3 の立下がりエッジに同期してタイミング発生器２３から切換タイミング信号（ハイ(3)からロー(4)に変わる）が出力され、切換器２１の切換えスイッチがＨ端子側に切り換えられる。ライトパルスＬ3 の出力タイミングでは、切換器２１の切換えスイッチはＬ端子側に接続されているので、マーカーデータ部２０Ａから緑色に相当するマーカデータＭ2 が取り込まれ、表示メモリ２４の２ライン目にそのマーカデータＭ2 が書き込まれ、上記同様に、電子ビームの走査周期に依存するアドレス読出指令信号に応じて読み出され、モニタ３０の表示エリア上方の２番目の走査線上に表示される。
【００２４】
ここで、アドレスＡ1 ，Ａ2 ・・・の更新のタイミングは、マーカーデータ部２０Ａからのマーカデータの書き込み及び読み出しに要する時間は殆ど無視できるので、たとえばラインセンサ１１における露光時間（１ライン当り所定の画素数分の光電変換部の蓄積時間）として２ｍｓの計４ｍｓに依存して更新されるものである。
【００２５】
続いて、メモリコントローラ２２からライトパルスＬ4 が出力されると、これに同期してタイミング発生器２３から切換タイミング信号（ロー(4)からハイ(5)に変わる）が出力され、切換器２１の切換えスイッチがＬ端子側に切り換えられることで、ラインバッファ１２からのラインデータＬＤ2 が取り込まれ、表示メモリ２４の２ライン目に先に書き込まれていたマーカデータＭ2 の上から重ね書きされ、上記同様に、電子ビームの走査周期に依存するアドレス読出指令信号に応じて読み出されると、モニタ３０の表示エリア上方の２番目の走査線上に表示される。
【００２６】
以降、同様にして、表示メモリ２４の３ライン目から順にマーカデータの書き込み、読み出しに続くラインデータの重ね書き、読み出しが行われる。これにより、ラインセンサ１１によって再スキャンが行われた場合、図３に示すように、モニタ３０上においては、モニタ３０の表示エリア上方の１番目の走査線上から、新たな画像が先に表示されていた画像と順に入れ替わりつつ表示されるとともに、マーカーデータ部２０Ａからの緑色で表示されるマーカライン３１がモニタ３０の表示エリア上方から下方に向けて移動表示されるので、現在のラインセンサ１１による走査位置である先の画像との境界を識別することが容易となる。
【００２７】
このように、本実施例では、マーカーデータ部２０Ａからのマーカデータとラインセンサ１１からのラインデータとを切換器２１を介して選択的に取り込む際、マーカデータを表示メモリ２４に書き込ませるためのメモリコントローラ２２からの第１記憶指令及びラインデータを表示メモリ２４に書き込ませるための第２記憶指令に同期させて選択的な取り込みを制御するとともに、アドレスデータの更新を表示メモリ２４へのラインデータの書き込み動作に先立って行わせ、マーカデータの表示メモリ２４への書き込み動作はラインデータに先立って行わせるようにしたので、表示メモリ２４の所定のアドレスに先にマーカデータを書き込んだ後、所定時間経過してから同アドレスにラインデータの重ね書きを行わせることができる。
【００２８】
したがって、表示メモリ２４の所定のアドレスに書き込まれたデータの画像をモニタ３０に表示するに際し、ラインデータの画像表示に先立ってマーカーデータの画像表示を行わせた後、ラインデータの画像表示を行わせることで、先の画像と新たな画像との入れ替わりを示す境界をマーカライン３１で表示することができ、ラインセンサ１１によるスキャン位置の認識が容易となるので、たとえばコントラストや色調等の微調整を行う場合やフォーカス調整を行う場合等のように、同じ画像を何度もスキャンして行われる各種調整作業が容易となる。
【００２９】
なお、本実施例では、マーカーデータ部２０Ａからのマーカデータを表示メモリ２４に書き込ませる際、表示メモリ２４の１ライン目に１ライン分だけ書き込ませる場合について説明したが、この例に限らず、マーカデータを表示メモリ２４の複数ラインに跨って書き込ませるようにしてもよく、この場合には、モニタ３０に表示されるマーカライン３１の太さの選択を自由に行うことができる。
【００３０】
【発明の効果】
以上説明したように、本発明のビデオスキャナ装置によれば、色データ生成手段からの所定の色データとラインセンサからのラインデータとを中継手段を介して選択的に取り込む際、色データをメモリ手段に書き込ませるためのメモリコントロール手段からの第１記憶指令及びラインデータをメモリ手段に書き込ませるための第２記憶指令に同期させて選択的な取り込みを制御するとともに、アドレスデータの更新をメモリ手段へのラインデータの書き込み動作に先立って行わせ、所定の色データのメモリ手段への書き込み動作はラインデータに先立って行わせ行わせるようにしたので、メモリ手段の所定のアドレスに先に色データを書き込んだ後、所定時間経過してから同アドレスにラインデータの重ね書きを行わせることができる。
【００３１】
したがって、メモリ手段の所定のアドレスに書き込まれたデータの画像を表示するに際し、ラインデータの画像表示に先立って色データの画像表示を行わせた後、ラインデータの画像表示が行われるとともに、先の画像と新たな画像との入れ替わりを示す境界が色データの画像によって表示されるので、ラインセンサによるスキャン位置の認識が容易となり、たとえばコントラストや色調等の微調整を行う場合やフォーカス調整を行う場合等のように、同じ画像を何度もスキャンして行われる各種調整作業を容易に行うことができる。
【図面の簡単な説明】
【図１】本発明のビデオスキャナ装置の一実施例を示す図である。
【図２】図１のビデオスキャナ装置の動作を説明するためのタイムチャートである。
【図３】図１のビデオスキャナ装置の動作を示す図である。
【図４】従来のビデオスキャナ装置の一構成例を示す斜視図である。
【図５】図４のビデオスキャナ装置の動作を説明するための図である。
【符号の説明】
１０    スキャナ
１１    ラインセンサ
１２    ラインバッファ
２０    電子画像プロセッサー
２０Ａ    マーカーデータ部
２１    切換器
２２    メモリコントローラ
２４    表示メモリ
２５    ＤＡＣ
３０    モニタ
【図１】
0003912803.tif 000002
【図２】
0003912803.tif 000003
【図３】
0003912803.tif 000004
【図４】
0003912803.tif 000005
【図５】
0003912803.tif 000006